【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
記録材に形成されたトナー像を記録材に定着する定着部であって、基板と前記基板に設けられた第１の発熱体と第２の発熱体とを有し前記トナー像を加熱するヒータを有する定着部と、
前記第１の発熱体への電力供給路に設けられた第１の駆動素子と、
前記第２の発熱体への電力供給路に設けられた第２の駆動素子と、
前記第１の駆動素子と前記第２の駆動素子を夫々制御する制御部と、
前記第１の発熱体に流れる電流を検出するための第１の検出部と、
前記第２の発熱体に流れる電流を検出するための第２の検出部と、
前記第１の検出部の第１の出力と前記第２の検出部の第２の出力が入力される安全回路であって、前記第１の出力に応じた値と前記第２の出力に応じた値の差分が所定の閾値を超えた場合、前記第１の発熱体と前記第２の発熱体の少なくとも一方への電力供給を遮断するための遮断信号を出力する安全回路と、
を備えることを特徴とする画像形成装置。
【請求項２】
前記第１の出力に応じた値は、前記第１及び第２の発熱体に流れる交流波形の半周期よりも長い所定期間の前記第１の出力の２乗値の平均値であり、前記第２の出力に応じた値は、前記所定期間の前記第２の出力の２乗値の平均値であり、
前記第１の出力の２乗値の平均値と前記第２の出力の２乗値の平均値は、移動平均値であり、
前記移動平均値は、前記交流波形のゼロクロス信号に依存せずに動作する積分計算部からの出力を平均した値であることを特徴とする請求項１に記載の画像形成装置。
【請求項３】
前記定着部は、記録材を搬送するための回転体を有し、前記閾値は、前記回転体の回転状態に応じて設定されることを特徴とする請求項１に記載の画像形成装置。
【請求項４】
前記回転体が停止している時の前記閾値は、回転している時の前記閾値よりも低いことを特徴とする請求項３に記載の画像形成装置。
【請求項５】
前記定着部は、トナー像を記録材に加熱定着するための定着ニップ部を形成するため一対の回転体を有し、前記閾値は、前記定着ニップ部に掛かる圧力に応じて設定されること
を特徴とする請求項１に記載の画像形成装置。
【請求項６】
前記定着ニップ部に掛かる圧力が解除されている時の前記閾値は、圧力が掛っている時の前記閾値よりも低いことを特徴とする請求項５に記載の画像形成装置。
【請求項７】
前記閾値は、前記ヒータの温度に応じて設定されることを特徴とする請求項１に記載の画像形成装置。
【請求項８】
前記ヒータの温度が常温付近である時の前記閾値は、定着処理時の温度である時の前記閾値よりも低いことを特徴とする請求項６に記載の画像形成装置。
【請求項９】
前記定着部は、トナー像を記録材に加熱定着するための定着ニップ部を形成するため一対の回転体を有し、
前記回転体が停止している場合、前記定着ニップ部に掛かる圧力が解除されている場合、前記ヒータの温度が常温付近である場合、の少なくとも一つの場合である時、前記閾値は低い値に設定されることを特徴とする請求項１に記載の画像形成装置。
【請求項１０】
記録材の搬送方向に関して、前記第１の発熱体は、前記第２の発熱体よりも上流側と下流側に少なくとも一つずつ設けられており、
前記搬送方向に対して直交する方向に関して、前記第１の発熱体は、記録材の搬送基準を含む第１のエリアの発熱量が前記第１のエリアよりも前記搬送基準から離れた第２のエリアの発熱量よりも大きな合成発熱分布を有しており、
前記第１のエリアにおいて、前記第２の発熱体の発熱量は、前記第１の発熱体の合成発熱量よりも小さくなっていることを特徴とする請求項１に記載の画像形成装置。
【請求項１１】
前記安全回路は、前記第２の出力に応じた値から前記第１の出力に応じた値を引いた値が前記閾値を超えた場合、前記遮断信号を出力し、
前記第１の出力に応じた値が前記第２の出力に応じた値より大きい場合は、前記遮断信号を出力しないことを特徴とする請求項１０に記載の画像形成装置。
【請求項１２】
記録材に形成されたトナー像を記録材に加熱定着するための第１の発熱体及び第２の発熱体を有する画像形成装置に搭載される安全回路であって、
前記第１の発熱体に流れる電流を検出するための第１の検出部の第１の出力が入力する第１の入力部と、
前記第２の発熱体に流れる電流を検出するための第２の検出部の第２の出力が入力する第２の入力部と、
前記第１の出力に応じた値と前記第２の出力に応じた値の差分が所定の閾値を超えた場合、前記第１の発熱体と前記第２の発熱体の少なくとも一方への電力供給を遮断するための遮断信号を出力する出力部と、
を備えることを特徴とする安全回路。
【請求項１３】
前記第１の出力に応じた値は、前記第１及び第２の発熱体に流れる交流波形の半周期よりも長い所定期間の前記第１の出力の２乗値の平均値であり、前記第２の出力に応じた値は、前記所定期間の前記第２の出力の２乗値の平均値であり、
前記第１の出力の２乗値の平均値と前記第２の出力の２乗値の平均値は、移動平均値であり、
前記移動平均値は、前記交流波形のゼロクロス信号に依存せずに動作する積分計算部からの出力を平均した値であることを特徴とする請求項１２に記載の安全回路。
【請求項１４】
前記定着部は、記録材を搬送するための回転体を有し、前記閾値は、前記回転体の回転
状態に応じて設定されることを特徴とする請求項１２に記載の安全回路。
【請求項１５】
前記回転体が停止している時の前記閾値は、回転している時の前記閾値よりも低いことを特徴とする請求項１４に記載の安全回路。
【請求項１６】
前記定着部は、トナー像を記録材に加熱定着するための定着ニップ部を形成するため一対の回転体を有し、前記閾値は、前記定着ニップ部に掛かる圧力に応じて設定されることを特徴とする請求項１２に記載の安全回路。
【請求項１７】
前記定着ニップ部に掛かる圧力が解除されている時の前記閾値は、圧力が掛っている時の前記閾値よりも低いことを特徴とする請求項１６に記載の安全回路。
【請求項１８】
前記閾値は、前記ヒータの温度に応じて設定されることを特徴とする請求項１２に記載の安全回路。
【請求項１９】
前記ヒータの温度が常温付近である時の前記閾値は、定着処理時の温度である時の前記閾値よりも低いことを特徴とする請求項１８に記載の安全回路。
【請求項２０】
前記定着部は、トナー像を記録材に加熱定着するための定着ニップ部を形成するため一対の回転体を有し、
前記回転体が停止している場合、前記定着ニップ部に掛かる圧力が解除されている場合、前記ヒータの温度が常温付近である場合、の少なくとも一つの場合である時、前記閾値は低い値に設定されることを特徴とする請求項１２に記載の安全回路。
【請求項２１】
前記安全回路は、前記第２の出力に応じた値から前記第１の出力に応じた値を引いた値が前記閾値を超えた場合、前記遮断信号を出力し、
前記第１の出力に応じた値が前記第２の出力に応じた値より大きい場合は、前記遮断信号を出力しないことを特徴とする請求項１２に記載の安全回路。
【請求項２２】
記録材に形成されたトナー像を記録材に定着する定着部であって、基板と前記基板に設けられた第１の発熱体と第２の発熱体とを有し前記トナー像を加熱するヒータを有する定着部と、
前記第１の発熱体への電力供給路に設けられた第１の駆動素子と、
前記第２の発熱体への電力供給路に設けられた第２の駆動素子と、
前記第１の駆動素子と前記第２の駆動素子を夫々制御する制御部と、
前記第１の発熱体に流れる電流を検出するための第１の検出部と、
前記第２の発熱体に流れる電流を検出するための第２の検出部と、
前記第１の検出部の第１の出力と前記第２の検出部の第２の出力が入力される安全回路であって、前記第２の出力に応じた値を前記第１の出力に応じた値で除した値が所定の閾値を超えた場合、前記第１の発熱体と前記第２の発熱体の少なくとも一方への電力供給を遮断するための遮断信号を出力する安全回路と、
を備えることを特徴とする画像形成装置。
【請求項２３】
前記第１の出力に応じた値は、前記第１及び第２の発熱体に流れる交流波形の半周期よりも長い所定期間の前記第１の出力の２乗値の平均値であり、前記第２の出力に応じた値は、前記所定期間の前記第２の出力の２乗値の平均値であることを特徴とする請求項１または２２に記載の画像形成装置。
【請求項２４】
前記第１の出力の２乗値の平均値と前記第２の出力の２乗値の平均値は、移動平均値であることを特徴とする請求項２３に記載の画像形成装置。
【請求項２５】
前記安全回路は、前記第１の出力に応じた値と前記第２の出力に応じた値の和が所定の第２の閾値を超えた場合も前記遮断信号を出力することを特徴とする請求項１または２２に記載の画像形成装置。
【請求項２６】
前記装置は更に、前記ヒータに供給する電力を遮断するためのリレーを有し、前記遮断信号が出力されると前記リレーがＯＦＦされることを特徴とする請求項１または２２に記載の画像形成装置。
【請求項２７】
前記第１の発熱体は、記録材の搬送基準を含む第１のエリアのみに設けられており、前記第２の発熱体は、前記第１のエリアよりも前記搬送基準から離れた第２のエリアのみに設けられていることを特徴とする請求項２２に記載の画像形成装置。
【請求項２８】
前記定着部は、内面が前記ヒータに接触しつつ回転する筒状のフィルムを有することを特徴とする請求項１または２２に記載の画像形成装置。
【請求項２９】
記録材に形成されたトナー像を記録材に加熱定着するための第１の発熱体及び第２の発熱体を有する画像形成装置に搭載される安全回路であって、
前記第１の発熱体に流れる電流を検出するための第１の検出部の第１の出力が入力する第１の入力部と、
前記第２の発熱体に流れる電流を検出するための第２の検出部の第２の出力が入力する第２の入力部と、
前記第２の出力に応じた値を前記第１の出力に応じた値で除した値が所定の閾値を超えた場合、前記第１の発熱体と前記第２の発熱体の少なくとも一方への電力供給を遮断するための遮断信号を出力する出力部と、
を備えることを特徴とする安全回路。
【請求項３０】
前記第１の出力に応じた値は、前記第１及び第２の発熱体に流れる交流波形の半周期よりも長い所定期間の前記第１の出力の２乗値の平均値であり、前記第２の出力に応じた値は、前記所定期間の前記第２の出力の２乗値の平均値であることを特徴とする請求項１２または２９に記載の安全回路。
【請求項３１】
前記第１の出力の２乗値の平均値と前記第２の出力の２乗値の平均値は、移動平均値であることを特徴とする請求項３０に記載の安全回路。
【請求項３２】
前記安全回路は、前記第１の出力に応じた値と前記第２の出力に応じた値の和が所定の第２の閾値を超えた場合も前記遮断信号を出力することを特徴とする請求項１２または２９に記載の安全回路。
【請求項３３】
前記安全回路は、半導体集積回路であることを特徴とする請求項１２または２９に記載の安全回路。